(57)【要約】【課題】駆動機構によって駆動される扉を有する開閉構造体を、床から天井までの高さが比較的低い建物に対しても取り付けることができる壁構造を提供する。【解決手段】壁構造１は、折り戸１７Ａを有する開閉構造体３と、開閉構造体３を保持する壁構造本体と、を備えている。壁構造本体は、下方から見る視点において開閉構造体３の上縁と内壁６との間の隙間を覆うように当該開閉構造体３の上縁に沿って延びる横額縁１１と、折り戸１７Ａの開閉方向に沿って駆動する駆動部を有し、開閉構造体３の内側に設けられた駆動機構２３、２４と、駆動機構２３、２４と折り戸１７Ａとを接続する接続部材１３、１４と、を備えている。駆動機構２３、２４は、横額縁１１の下に配置された下配置部Ｐ１を有し、壁構造本体は、駆動機構２３、２４の下配置部Ｐ１を内側及び下方から覆うカバー１５を備えている。【選択図】図２
2016138366.tif 000002
【特許請求の範囲】
【請求項１】
壁構造であって、
第１開口を有する枠体と前記第１開口を開閉可能な状態で前記枠体内に取り付けられた開閉扉とを有する開閉構造体と、
第２開口を有し、前記開閉構造体が前記第２開口に嵌り込んだ状態で当該開閉構造体を保持する壁構造本体と、を備え、
前記壁構造本体は、
前記開閉構造体を支持する構造体支持部材と、
前記第２開口を有するとともに前記構造体支持部材の外側に設けられた外壁と、
前記構造体支持部材の内側に設けられ、前記開閉構造体を内側に開放するための第３開口を有する内壁と、
下方から見る視点において前記開閉構造体の上縁と前記内壁との間の隙間を覆うように当該開閉構造体の上縁に沿って延びる横額縁と、
前記開閉扉の開閉方向に沿って駆動する駆動部を有し、前記開閉構造体の内側に設けられた駆動機構と、
前記駆動機構の駆動部と前記開閉扉とを接続する接続部材と、を備え、
前記駆動機構は、前記横額縁の下に配置された下配置部を有し、
前記壁構造本体は、前記駆動機構の下配置部を内側及び下方から覆うカバーをさらに備えている、壁構造。
【請求項２】
前記構造体支持部材は、前記枠体の上縁に沿って延びるとともに当該枠体の上縁に固定された上縁固定部を含み、
前記横額縁は、前記上縁固定部に支持され、
前記駆動機構は、前記横額縁に取り付けられている、請求項１に記載の壁構造。
【請求項３】
前記壁構造本体は、前記カバーの着脱可能な取り付けを許容する取付機構を有する、請求項１又は２に記載の壁構造。
【請求項４】
前記取付機構は、前記横額縁に取り付けられた係合部材と、前記カバーに設けられた被係合部とを備え、
前記係合部材及び前記被係合部は、互いに着脱可能に係合している、請求項３に記載の壁構造。
【請求項５】
前記係合部材は、前記横額縁の上に設けられ、
前記内壁の第３開口は、前記係合部材を内側に開放する形状を有し、
前記カバーは、前記第３開口のうち前記横額縁の上の部分を内側から覆う上被覆部を有し、
前記被係合部は、前記カバーの上被覆部の外側面に取り付けられている、請求項４に記載の壁構造。
【請求項６】
前記カバーは、前記上被覆部から外側に突出するとともに前記被係合部と前記係合部材とが互いに係合した状態で前記横額縁上に載置された突出部を備えている、請求項５に記載の壁構造。
【請求項７】
前記係合部材及び前記被係合部は、前記係合部材に対する前記被係合部の内側から外側への移動によって互いに係合可能であり、
前記突出部は、前記被係合部が前記係合部材から内側に離れた状態で前記横額縁上に載置可能な長さを有する、請求項６に記載の壁構造。
【請求項８】
前記壁構造本体は、側面視において前記開閉構造体の側縁と前記内壁との間の隙間を覆うように当該開閉構造体の側縁に沿って延びる縦額縁をさらに備え、
前記横額縁は、前記縦額縁の側面から前記開閉構造体の上縁に沿って延び、
前記縦額縁の前記下配置部の側方に配置された部分には、当該縦額縁を貫通する貫通部が形成され、
前記駆動機構は、前記貫通部を通じて前記縦額縁の前記横額縁と反対側に配置された壁内配置部をさらに備えている、請求項１〜７の何れか１項に記載の壁構造。
【発明の詳細な説明】
【技術分野】
【０００１】
本発明は、開口を有する壁構造本体と、開口に嵌め込まれた状態で前記壁構造本体に取り付けられた開閉構造体とを有する壁構造に関するものである。
【背景技術】
【０００２】
従来から、開口を有する枠体と、開口を開閉可能な状態で枠体に取り付けられた折り戸とを含む開閉構造体を備えた折り畳み自動ドア装置が知られている（例えば、特許文献１）。
【０００３】
特許文献１に記載の自動ドア装置は、開口を電動で開閉するように構成されている。
【０００４】
具体的に、自動ドア装置は、枠体上に固定された無目と、無目内に設けられた駆動モータと、折り戸から無目内に延びる回転軸と、無目内に設けられて駆動モータと回転軸とを接続するリンク機構とを備えている。
【０００５】
駆動モータからの動力がリンク機構を介して回転軸に伝達されることにより、折り戸は、枠体内の開口部を開放する開状態と、開口部を閉じる閉状態との間で作動する。
【先行技術文献】
【特許文献】
【０００６】
【特許文献１】特開平９−１４４４２５号公報
【発明の概要】
【発明が解決しようとする課題】
【０００７】
特許文献１に記載の自動ドア装置は、開口を有する壁構造本体に対し、開口にはめ込まれた状態で取り付けられる。
【０００８】
しかしながら、前記自動ドア装置においては、枠体上に無目が固定されているため、自動ドア装置の高さ寸法が大きくなり、当該自動ドア装置を取り付けるために壁構造本体に要求される開口の高さが大きくなる。
【０００９】
したがって、床から天井までの高さが比較的低い建物（例えば、住宅）に特許文献１に記載の自動ドア装置を採用することは困難である。
【００１０】
本発明の目的は、駆動機構によって駆動される扉を有する開閉構造体を、床から天井までの高さが比較的低い建物に対しても取り付けることができる壁構造を提供することにある。
【課題を解決するための手段】
【００１１】
上記課題を解決するために、本発明は、壁構造であって、第１開口を有する枠体と前記第１開口を開閉可能な状態で前記枠体内に取り付けられた開閉扉とを有する開閉構造体と、第２開口を有し、前記開閉構造体が前記第２開口に嵌り込んだ状態で当該開閉構造体を保持する壁構造本体と、を備え、前記壁構造本体は、前記開閉構造体を支持する構造体支持部材と、前記第２開口を有するとともに前記構造体支持部材の外側に設けられた外壁と、前記構造体支持部材の内側に設けられ、前記開閉構造体を内側に開放するための第３開口を有する内壁と、下方から見る視点において前記開閉構造体の上縁と前記内壁との間の隙間を覆うように当該開閉構造体の上縁に沿って延びる横額縁と、前記開閉扉の開閉方向に沿って駆動する駆動部を有し、前記開閉構造体の内側に設けられた駆動機構と、前記駆動機構の駆動部と前記開閉扉とを接続する接続部材と、を備え、前記駆動機構は、前記横額縁の下に配置された下配置部を有し、前記壁構造本体は、前記駆動機構の下配置部を内側及び下方から覆うカバーをさらに備えている、壁構造を提供する。
【００１２】
本発明によれば、駆動機構を開閉構造体から分離してこの駆動機構を開閉構造体の内側に配置しているため、壁構造本体の第２開口の高さを、開閉構造体を嵌め込むことができる高さに抑えることができる。
【００１３】
したがって、開閉構造体の上に駆動機構が設けられている場合と比較して第２開口の高さを低くすることができる。
【００１４】
ここで、駆動機構の下配置部は、横額縁の下に配置されているが、当該下配置部はカバーによって内側及び下方から覆われている。そのため、例えば、下配置部が横額縁の下で露出されている場合と比較して、壁構造の見栄えを向上することもできる。
【００１５】
したがって、本発明によれば、駆動機構によって駆動される開閉扉を有する開閉構造体を、床から天井までの高さが比較的低い建物に対しても見栄えよく取り付けることができる。
【００１６】
ここで、駆動機構を支持するための部材を構造体支持部材とは別に設けてもよいが、この場合には壁構造のコストが増加する。
【００１７】
そこで、前記壁構造において、前記構造体支持部材は、前記枠体の上縁に沿って延びるとともに当該枠体の上縁に固定された上縁固定部を含み、前記横額縁は、前記上縁固定部に支持され、前記駆動機構は、前記横額縁に取り付けられていることが好ましい。
【００１８】
この態様によれば、構造体支持部材を、横額縁及び駆動機構を支持するためにも用いることができるため、壁構造のコストの増加を抑制しつつ駆動機構を確実に支持することができる。
【００１９】
ここで、駆動機構は、カバーによって覆われているため、カバーが駆動機構に固定されていると、駆動機構のメンテナンスが困難となる。
【００２０】
そこで、前記壁構造において、前記壁構造本体は、前記カバーの着脱可能な取り付けを許容する取付機構を有することが好ましい。
【００２１】
この態様によれば、カバーを取り外すことにより駆動機構を内側及び下方に開放することができるため、駆動機構を内側及び下方からメンテナンスすることができる。
【００２２】
具体的に、前記取付機構は、前記横額縁に取り付けられた係合部材と、前記カバーに設けられた被係合部とを備え、前記係合部材及び前記被係合部は、互いに着脱可能に係合している構成とすることができる。
【００２３】
この態様によれば、横額縁に対してカバーを着脱可能に係合することができる。
【００２４】
ここで、係合部材を横額縁の下に設けることもできるが、この場合には、駆動機構（下配置部）を配置するためのスペースが制約される。
【００２５】
そこで、前記係合部材は、前記横額縁の上に設けられ、前記内壁の第３開口は、前記係合部材を内側に開放する形状を有し、前記カバーは、前記第３開口のうち前記横額縁の上の部分を内側から覆う上被覆部を有し、前記被係合部は、前記カバーの上被覆部の外側面に取り付けられていることが好ましい。
【００２６】
この態様によれば、横額縁の上のスペースを係合部材と被係合部との係合スペースとして利用することができるため、駆動機構を配置するためのスペースを制約することなく係合スペースを確保することができる。
【００２７】
前記壁構造において、前記カバーは、前記上被覆部から外側に突出するとともに前記被係合部と前記係合部材とが互いに係合した状態で前記横額縁上に載置された突出部を備えていることが好ましい。
【００２８】
この態様によれば、内壁の第３開口を通じて内側に開放された横額縁の上面に突出部を載置することにより、カバーの重量を横額縁に預けることができる。
【００２９】
ここで、突出部は、係合部材に被係合部が係合した状態でのみ横額縁上に載置される長さを有していてもよいが、この場合、カバーを横額縁に取り付けようとする者は、係合部材に被係合部が係合されるまでの間、継続してカバーを持ち上げていなければならず、その労力は大きい。
【００３０】
そこで、前記係合部材及び前記被係合部は、前記係合部材に対する前記被係合部の内側から外側への移動によって互いに係合可能であり、前記突出部は、前記被係合部が前記係合部材から内側に離れた状態で前記横額縁上に載置可能な長さを有することが好ましい。
【００３１】
この態様によれば、係合部材に対して被係合部が係合する前の段階で、カバーの重量を横額縁に預けることができるので、カバーを取り付けるための労力を低減することができる。
【００３２】
ここで、前記壁構造本体が側面視において前記開閉構造体の側縁と前記内壁との間の隙間を覆うように当該開閉構造体の側縁に沿って延びる縦額縁をさらに備え、前記横額縁が前記縦額縁の側面から前記開閉構造体の上縁に沿って延びている場合、縦額縁によって駆動機構を側方からも覆うことができる。
【００３３】
しかし、駆動機構が横額縁とカバーと縦額縁との間のスペースに納まり切らない部分を有する場合、当該部分の配置によっては壁構造の見栄えが悪くなる。
【００３４】
そこで、前記壁構造において、前記縦額縁の前記下配置部の側方に配置された部分には、当該縦額縁を貫通する貫通部が形成され、前記駆動機構は、前記貫通部を通じて前記縦額縁の前記横額縁と反対側に配置された壁内配置部をさらに備えていることが好ましい。
【００３５】
この態様では、横額縁とカバーと縦額縁との間のスペースに納まり切らない壁内配置部が貫通部を通じて縦額縁の横額縁と反対側、つまり、外壁（又は開閉構造体）と内壁との間のスペースに配置されている。
【００３６】
したがって、前記態様によれば、壁内配置部が外壁（又は開閉構造体）と内壁と縦額縁とによって覆われたスペースに配置されているため、壁内配置部を見栄えよく配置することができる。
【発明の効果】
【００３７】
本発明によれば、駆動機構によって駆動される扉を有する開閉構造体を、床から天井までの高さが比較的低い建物に対しても取り付けることができる。
【図面の簡単な説明】
【００３８】
【図１】本発明の実施形態に係る壁構造の全体構成を示す斜視図であり、縦額縁、横額縁、駆動ユニット、及びカバー等を省略したものである。
【図２】図１に示す壁構造の側面断面図である。
【図３】図２のＩＩＩ−ＩＩＩ線断面図である。
【図４】図３のＩＶ−ＩＶ線断面図である。
【図５】図３のＶ−Ｖ線断面図である。
【図６】図３の一部を拡大して示すものである。
【図７】図２のＶＩＩ−ＶＩＩ線断面図である。
【図８】図２の側面断面図においてカバーを取り外した状態を示すものである。
【発明を実施するための形態】
【００３９】
以下添付図面を参照しながら、本発明の実施の形態について説明する。なお、以下の実施の形態は、本発明を具体化した例であって、本発明の技術的範囲を限定する性格のものではない。
【００４０】
図１を参照して、本発明の実施形態に係る壁構造１の基本的構成について説明する。なお、図１では、後述する縦額縁１０、横額縁１１、駆動ユニット１２、第１接続部材１３、第２接続部材１４、及びカバー１５等が省略されている。
【００４１】
壁構造１は、第１開口Ｏを有する略矩形の枠体１６と第１開口Ｏを開閉可能な状態で枠体１６に取り付けられた一対の折り戸（開閉扉）１７Ａ、１７Ｂとを有する開閉構造体３と、第２開口５ａを有し、開閉構造体３が第２開口５ａに嵌まり込んだ状態で当該開閉構造体３を保持する壁構造本体（符号省略）と、を備えている。なお、以下の説明では、開閉構造体３を基準として室外側を外側とし、室内側を内側とする。
【００４２】
開閉構造体３の枠体１６は、上下方向に延びるとともに互いに平行する一対の縦枠１６ａ、１６ｂと、縦枠１６ａ、１６ｂの上端部同士の間で横方向に延びる横枠１６ｃと、縦枠１６ａ、１６ｂの下端部同士の間で横方向に延びる横枠１６ｄとを備えている。
【００４３】
以下、図１及び図３を参照して、折り戸１７Ａ、１７Ｂについて説明する。なお、折り戸１７Ａ、１７Ｂは、互いに横方向に対称の構成を有しているため、一方の折り戸１７Ａ（図１で左側に示される折り戸１７Ａ）について説明する。
【００４４】
折り戸１７Ａは、縦枠１６ｂに対して縦軸Ａ１を中心として回転可能に取り付けられた基端部を有する吊元扉３０と、吊元扉３０の先端部に対して縦軸Ａ２を中心として回転可能に取り付けられた基端部を有する連結部材３１と、連結部材３１の先端部に対して縦軸Ａ３を中心として回転可能に取り付けられた基端部を有する戸先扉３２と、戸先扉３２の先端部に対して縦軸Ａ４を中心として回転可能に取り付けられたスライド部材３３とを備えている。
【００４５】
吊元扉３０は、縦枠１６ｂと連結部材３１との間に設けられた吊元扉本体３０ａと、吊元扉本体３０ａに取り付けられたレール３０ｂと、を備えている。吊元扉本体３０ａは、図３の実線で示す閉位置と、閉位置から外側に回転した図３の二点鎖線で示す開位置との間で縦軸Ａ１を中心として縦枠１６ｂに対して回転可能である。レール３０ｂは、吊元扉本体３０ａが閉位置に回転した状態で、当該吊元扉本体３０ａの内側面に取り付けられているとともに横方向に延びている。また、レール３０ｂは、下向きに開く形状を有する。
【００４６】
スライド部材３３は、スライド部材本体３３ａと、スライド部材本体３３ａ上に設けられた図２に示す一対のローラ３３ｂとを備えている。枠体１６の横枠１６ｃには、横方向に延びるレール１６ｅが設けられており、ローラ３３ｂは、レール１６ｅに転がり接触可能な状態で横枠１６ｃに取り付けられている。つまり、スライド部材３３は、レール１６ｅに沿って横方向に移動可能な状態で横枠１６ｃに取り付けられている。
【００４７】
吊元扉３０が図３の実線で示す閉位置から図３の二点鎖線で示す開位置に回転する場合、連結部材３１が縦軸Ａ２を中心として吊元扉３０に対して回転するとともに、当該連結部材３１に対して戸先扉３２が縦軸Ａ３を中心として回転して図３の二点鎖線で示す位置に移動する。ここで、スライド部材３３は、戸先扉３２の移動に伴い縦軸Ａ４を中心として戸先扉３２に対して回転しつつレール１６ｅに沿って横方向に移動する。
【００４８】
一方、吊元扉３０が図３の実線で示す閉位置に移動する場合、連結部材３１が縦軸Ａ２を中心として吊元扉３０に対して回転するとともに、当該連結部材３１に対して戸先扉３２が縦軸Ａ３を中心として回転して図３の実線で示す位置に移動する。ここで、スライド部材３３は、戸先扉３２の移動に伴い縦軸Ａ４を中心として戸先扉３２に対して回転しつつレール１６ｅに沿って横方向に移動する。
【００４９】
このように折り戸１７Ａ、１７Ｂによって、第１開口Ｏを開閉することができる。
【００５０】
図１を参照して、上述した開閉構造体３を保持する壁構造本体（符号省略）について説明する。
【００５１】
壁構造本体は、横方向に延びるとともに互いに平行する上下一対の梁２と、梁２同士の間に設けられて開閉構造体３を支持する構造体支持部材４と、第２開口５ａを有するとともに構造体支持部材４の外側に設けられた外壁５と、構造体支持部材４の内側に設けられた内壁６と、内壁６の外側に設けられて内壁６を支持する内壁支持部材７と、下の梁２上に支持された床材８と、上の梁２から吊り下げられた天井材９と、を備えている。
【００５２】
構造体支持部材４は、枠体１６の一方の側縁（縦枠１６ａ）に沿って延びる側縁固定部４ａと、枠体１６の他方の側縁（縦枠１６ｂ）に沿って延びる側縁固定部４ｂと、枠体１６の上縁（横枠１６ｃ）に沿って延びる上縁固定部４ｃと、を備えている。
【００５３】
両側縁固定部４ａ、４ｂは、上の梁２に固定された上端部と、下の梁２に固定された下端部とを有する。上縁固定部４ｃは、両側縁固定部４ａ、４ｂ同士の間に設けられており、両側縁固定部４ａ、４ｂにそれぞれ固定された一対の端部を有している。
【００５４】
また、側縁固定部４ｂは、ボルトＢ１（図３参照）によって縦枠１６ｂに固定され、図示は省略するが、側縁固定部４ａもボルトによって縦枠１６ａに固定されている。上縁固定部４ｃは、ボルトＢ２（図２参照）によって横枠１６ｃ（枠体１６の上縁）に固定されている。
【００５５】
内壁６は、開閉構造体３を内側に開放するための第３開口６ａを有する。
【００５６】
内壁支持部材７は、第３開口６ａの一方の側縁（内壁６の側縁）に沿って延びる縦材７ａと、第３開口６ａの他方の側縁（内壁６の側縁）に沿って延びる縦材７ｂと、第３開口６ａの上縁（内壁６の下縁）に沿って延びる横材７ｃと、を備えている。
【００５７】
両縦材７ａ、７ｂは、床材８と天井材９との間に設けられ、床材８に固定された下端部と、天井材９に固定された上端部とを有する。横材７ｃは、両縦材７ａ、７ｂ同士の間に設けられており、両縦材７ａ、７ｂにそれぞれ固定された一対の端部を有している。
【００５８】
縦材７ａ、７ｂ及び横材７ｃには、図外のビスによって内壁６が取り付けられている。
【００５９】
さらに、壁構造本体（符号省略）は、図３に示すように、側面視において開閉構造体３の側縁（縦枠１６ａ、１６ｂ）と内壁６との間の隙間を覆うように当該開閉構造体３の側縁（縦枠１６ａ、１６ｂ）に沿って延びる一対の縦額縁１０（図３では１枚のみ示す）を備えている。また、壁構造本体（符号省略）は、図２に示すように、下方から見る視点において開閉構造体３の上縁（横枠１６ｃ）と内壁６との間の隙間を覆うように当該開閉構造体３の上縁（横枠１６ｃ）に沿って延びる横額縁１１をさらに備えている。
【００６０】
横額縁１１は、一方の縦額縁１０から開閉構造体３の上縁（横枠１６ｃ）に沿って他方の縦額縁１０まで延びている（図７参照）。また、図２に示すように、横額縁１１は、構造体支持部材４によって支持されている。具体的に、横額縁１１は、アングル１９を介してビスＢ３によって上縁固定部４ｃに固定されている。アングル１９は、横額縁１１の上面に固定された固定部と、固定部から上に延びる被取付部とを有し、被取付部が上縁固定部４ｃの内側面に固定されている。また、横額縁１１は、ビスＢ４によって枠体１６の横枠１６ｃに取り付けられている。
【００６１】
図３を参照して、前記開閉構造体３は、横額縁１１の下面に取り付けられた駆動ユニット１２、第１接続部材１３、及び第２接続部材１４を用いて折り戸１７Ａ、１７Ｂを電動で開閉するように構成されている。なお、両折り戸１７Ａ、１７Ｂをそれぞれ駆動するための構成は、横方向に対称に配置されている点を除き同一であるため、一方の折り戸１７Ａを駆動するための構成について説明する。
【００６２】
壁構造本体は、駆動ユニット１２と、駆動ユニット１２と折り戸１７Ａとを接続する第１接続部材１３及び第２接続部材１４と、を備えている。
【００６３】
駆動ユニット１２は、吊元扉３０を回転駆動する第１駆動機構２３と、スライド部材３３を横方向に駆動する第２駆動機構２４と、両駆動機構２３、２４の一部を取り囲む囲み部材２５とを備えている。なお、囲み部材２５の少なくとも一部は、枠体１６の横枠１６ｃ及び横額縁１１の少なくとも一方に対して着脱可能に取り付けられている。
【００６４】
第１駆動機構２３は、第１モータ３４と、第１モータ３４に接続された増力機３５と、第１モータ３４及び増力機３５を支持する第１支持板３６とを備えている。増力機３５は、第１モータ３４の回転トルクを増加する機能を有し、縦方向の軸を中心として回転可能な回転軸３５ａを有する。回転軸３５ａには、後述する第１接続部材１３が接続されている。
【００６５】
図２は、図３のＩＩ−ＩＩ線断面図であり、図４は、図３のＩＶ−ＩＶ線断面図である。図２〜図４に示すように、第１支持板３６は、横額縁１１の下面に取り付けられているとともに横方向に延びている。第１支持板３６の外側面には、第１モータ３４及び増力機３５が取り付けられている。このように第１駆動機構２３は、横額縁１１に取り付けられている。
【００６６】
図３を参照して、第２駆動機構２４は、第２モータ３７と、第２モータ３７の駆動により回転する駆動プーリ３８と、従動プーリ３９と、両プーリ３８、３９間に掛け渡されたベルト４０と、第２モータ３７を支持する支持ブラケット４１と、従動プーリ３９を支持する第２支持板４２と、横方向に延びるとともに下向きに開くレール４３と、を備えている。
【００６７】
両プーリ３８、３９は、内側から外側に向かう方向に沿った軸を中心として回転可能である。
【００６８】
図５は、図３のＶ−Ｖ線断面図であり、図６は、図３の一部を拡大して示すものである。図６に示すように、支持ブラケット４１は、第１支持板３６の端面から横方向に延びるように当該第１支持板３６に取り付けられ、第２モータ３７及び駆動プーリ３８は、支持ブラケット４１の内側面に取り付けられている。一方、図５に示すように、第２支持板４２は、横額縁１１の下面に取り付けられているとともに横方向に延びており、従動プーリ３９は、第２支持板４２の内側面に取り付けられている。さらに、図５及び図６に示すように、レール４３は、第１支持板３６及び第２支持板４２の内側面に取り付けられている。このように第２駆動機構２４は、横額縁１１に取り付けられている。
【００６９】
図３及び図４を参照して、第１接続部材１３は、増力機３５の回転軸３５ａに固定された基端部を有するアーム１３ａと、アーム１３ａの先端部に取り付けられたローラ１３ｂと、を備えている。ローラ１３ｂは、縦方向に沿った軸を中心として回転可能にアーム１３ａに取り付けられているとともに、折り戸１７Ａの吊元扉３０のレール１６ｅ内に転がり接触可能に設けられている。これにより、アーム１３ａの回転に応じてレール１６ｅ内でのローラ１３ｂの移動を伴いながら吊元扉３０を縦軸Ａ１を中心として回転させることができる。なお、アーム１３ａは、囲み部材２５に設けられた貫通孔（符号省略）を通して増力機３５から内側に延びている。
【００７０】
図３及び図５を参照して、第２接続部材１４は、第２駆動機構２４のベルト４０を保持する保持部１４ａと、折り戸１７Ａのスライド部材３３に取り付けられた取付部１４ｂと、保持部１４ａから取付部１４ｂまで延びる延設部１４ｃと、延設部１４ｃに取り付けられたローラ１４ｄと、を備えている。ローラ１４ｄは、縦方向に沿った軸を中心として回転可能に延設部１４ｃに取り付けられているとともに、第２駆動機構２４のレール４３内に転がり接触可能に設けられている。これにより、ベルト４０の横方向への移動に応じてレール４３内でのローラ１４ｄの移動を伴いながらスライド部材３３を横方向に移動させることができる。なお、延設部１４ｃは、囲み部材２５に設けられた貫通孔（符号省略）を通して保持部１４ａから内側に延びている。
【００７１】
以下、図３を参照して、駆動ユニット１２、第１接続部材１３、及び第２接続部材１４による吊り戸１７Ａの開閉動作について説明する。
【００７２】
第１モータ３４の駆動によりアーム１３ａが矢印Ｙ１に示すように回転すると、吊元扉３０は、図３の実線で示す閉位置から二点鎖線で示す開位置に回転する。また、第１モータ３４に同期して第２モータ３７も駆動しており、この駆動により第２接続部材１４が矢印Ｙ２に示すように横方向に移動すると、スライド部材３３の移動に伴い、戸先扉３２は、スライド部材３３及び連結部材３１に対する回転を伴いながら、図３の実線で示す位置から二点鎖線で示す位置まで移動する。
【００７３】
一方、アーム１３ａが矢印Ｙ１と反対向きに回転するとともに第２接続部材１４が矢印Ｙ２と反対向きに移動することにより、吊元扉３０及び戸先扉３２は、図３の二点鎖線で示す位置から実線で示す位置に移動する。
【００７４】
このように、駆動ユニット１２、第１接続部材１３、及び第２接続部材１４により折り戸１７Ａ、１７Ｂを駆動することにより第１開口Ｏを開閉することができる。
【００７５】
なお、第１駆動機構２３の回転軸３５ａは、折り戸１７Ａ、１７Ｂの吊元扉３０の開閉方向に沿って駆動する駆動部に相当し、第２駆動機構２４のベルト４０は、折り戸１７Ａ、１７Ｂのスライド部材３３の開閉方向に沿って駆動する駆動部に相当する。
【００７６】
次に、図２及び図３を参照して、駆動ユニット１２の配置について説明する。
【００７７】
駆動ユニット１２は、開閉構造体３の内側に設けられている。また、第１駆動機構２３の全体及び第２駆動機構２４の一部は、横額縁１１の下に配置された下配置部Ｐ１を構成する。一方、第２駆動機構２４は、図６に示すように、縦額縁１０を横方向に貫通する貫通部１０ａを通じて縦額縁１０の横額縁１１と反対側に配置された壁内配置部Ｐ２を有する。具体的に、壁内配置部Ｐ２は、第２モータ３７の一部、駆動プーリ３８の一部、ベルト４０の一部、及び支持ブラケット４１の一部によって構成されている。なお、図７に示すように、縦額縁１０の貫通部１０ａは、当該縦額縁１０の上端部において上に開く切欠きによって構成されており、横額縁１１の長手方向の両端部には、貫通部１０ａに連続する切欠部１１ａが形成されている。図示は省略するが、第２モータ３７の一部は、貫通部１０ａ及び切欠部１１ａを通じて横額縁１１の上で外壁５と内壁６との間に配置されている。
【００７８】
壁内配置部Ｐ２は、外壁５、内壁６、及び縦額縁１０により囲まれるスペース内に配置されているため、当該壁内配置部Ｐ２により壁構造１の外観が損なわれることはない。
【００７９】
一方、下配置部Ｐ１は、横額縁１１の下で露出されているため、そのままでは、壁構造１の外観が損なわれる。
【００８０】
そこで、図２及び図３に示すように、壁構造本体は、駆動機構２３、２４の下配置部Ｐ１を内側及び下方から覆うカバー１５と、カバー１５に係合する係合部材２０と、係合部材２０を支持する支持材２１、２２と、をさらに備えている。
【００８１】
図７は、図２のＶＩＩ−ＶＩＩ線断面図である。図２及び図７を参照して、４本の支持材２１は、横方向に間隔を空けた状態で横額縁１１上に立設されている。支持材２２は、互いに隣接する２本の支持材２１同士の間にそれぞれ設けられ、当該２本の支持材２１に固定されている。
【００８２】
係合部材２０は、２本の支持材２１の内側面にそれぞれ取り付けられている。これにより、係合部材２０は、横額縁１１の上で当該横額縁１１に対し両支持材２１、２２を介して取り付けられている。また、係合部材２０は、カバー１５に設けられた後述する被係合部２８の内側から外側への移動によって当該被係合部２８に着脱可能に係合するキャッチにより構成されている。
【００８３】
一方、図２、図４及び図７を参照して、カバー１５は、下配置部Ｐ１を内側から覆う内側被覆板２６と、下配置部Ｐ１を下から覆う下被覆板２７と、内側被覆板２６に設けられた被係合部２８及び突出部（図４参照）２９と、を備えている。
【００８４】
下被覆板２７は、内側被覆板２６の下端部から外側に延びている。
【００８５】
内側被覆板２６は、内壁６の第３開口６ａの上部に嵌まり込むことができる形状を有する。ここで、第３開口６ａは、係合部材２０を内側に開放する形状を有し、内側被覆板２６は、第３開口６ａのうち横額縁１１の上の部分を内側から覆う上被覆部２６ａを有する。被係合部２８及び突出部２９は、上被覆部２６ａの外側面に設けられている。
【００８６】
被係合部２８は、係合部材２０に対して内側から着脱可能に係合する突起を有し、係合部材２０の内側位置に設けられている。
【００８７】
突出部２９は、上被覆部２６ａから外側に突出するとともに被係合部２８と係合部材２０とが互いに係合した状態で横額縁１１上に載置されている。また、突出部２９は、被係合部２８が係合部材２０から内側に離れた状態で横額縁１１上に載置可能な長さを有している。つまり、突出部２９は、被係合部２８の突起よりも長い（図８参照）。さらに、図７に示すように、２つの係合部材２０（２つの支持材２１）同士の間の位置で横額縁１１の上面に載置されるように３つの突出部２９が設けられている。
【００８８】
このように突出部２９が設けられているため、図８に示すように、カバー１５が取り外された状態において、まず、突出部２９を横額縁１１上に載置することによりカバー１５の重量を横額縁１１に預けることができる。この状態で、横額縁１１に対して突出部２９を滑らせつつカバー１５を内側から外側に向けて押し込むことにより、図２に示すように係合部材２０に対して被係合部２８を係合させることができる。
【００８９】
以上説明したように、両駆動機構２３、２４を開閉構造体３から分離してこれらの駆動機構２３、２４を開閉構造体３の内側に配置しているため、壁構造本体の第２開口５ａの高さを、開閉構造体３を嵌め込むことができる高さに抑えることができる。
【００９０】
したがって、開閉構造体３の上に両駆動機構２３、２４が設けられている場合と比較して第２開口５ａの高さを低くすることができる。
【００９１】
ここで、両駆動機構２３、２４の下配置部Ｐ１は、横額縁１１の下に配置されているが、当該下配置部Ｐ１はカバー１５によって内側及び下方から覆われている。そのため、例えば、下配置部Ｐ１が横額縁１１の下で露出されている場合と比較して、壁構造１の見栄えを向上することもできる。
【００９２】
したがって、両駆動機構２３、２４によって駆動される折り戸１７Ａ、１７Ｂを有する開閉構造体３を、床から天井までの高さが比較的低い建物に対しても見栄えよく取り付けることができる。
【００９３】
また、前記実施形態によれば、以下の効果を奏することもできる。
【００９４】
構造体支持部材４を、横額縁１１及び両駆動機構２３、２４を支持するためにも用いることができるため、壁構造１のコストの増加を抑制しつつ両駆動機構２３、２４を確実に支持することができる。
【００９５】
カバー１５を取り外すことにより両駆動機構２３、２４を内側及び下方に開放することができるため、両駆動機構２３、２４を内側及び下方からメンテナンスすることができる。
【００９６】
横額縁１１の上のスペースを係合部材２０と被係合部２８との係合スペースとして利用することができるため、両駆動機構２３、２４を配置するためのスペースを制約することなく係合スペースを確保することができる。
【００９７】
内壁６の第３開口６ａを通じて内側に開放された横額縁１１の上面に突出部２９を載置することにより、カバー１５の重量を横額縁１１に預けることができる。
【００９８】
係合部材２０に対して被係合部２８が係合する前の段階で、カバー１５の重量を横額縁１１に預けることができるので、カバー１５を取り付けるための労力を低減することができる。
【００９９】
横額縁１１とカバー１５と縦額縁１０との間のスペースに納まり切らない壁内配置部Ｐ２が貫通部１０ａを通じて縦額縁１０の横額縁１１と反対側、つまり、外壁５（又は開閉構造体３）と内壁６との間のスペースに配置されている。
【０１００】
したがって、壁内配置部Ｐ２が外壁５（又は開閉構造体３）と内壁６と縦額縁１０とによって覆われたスペースに配置されているため、壁内配置部Ｐ２を見栄えよく配置することができる。
【０１０１】
なお、本発明は、前記実施形態に限定されるものではなく、例えば、以下の態様を採用することもできる。
【０１０２】
両駆動機構２３、２４を支持するための部材を構造体支持部材４とは別に設けてもよい。
【０１０３】
カバー１５は、壁構造１において固定されていてもよい。
【０１０４】
係合部材２０及び被係合部２８は、横額縁１１の内側又は下に設けられていてもよい。
【０１０５】
突出部２９は、係合部材２０に被係合部２８が係合した状態でのみ横額縁１１上に載置される長さを有していてもよい。
【０１０６】
両駆動機構２３、２４の全体が横額縁１１の下に配置されていてもよい。
【０１０７】
開閉扉は折り戸に限定されない。例えば、開閉扉として引き違い窓を採用することもできる。この場合、開閉扉の開閉方向に沿って駆動する駆動部を有する駆動機構を適宜採用することができる。
【符号の説明】
【０１０８】
Ｏ    第１開口
Ｐ１    下配置部
Ｐ２    壁内配置部
１    壁構造
３    開閉構造体
４    構造体支持部材
４ｃ    上縁固定部
５    外壁
５ａ    第２開口
６    内壁
６ａ    第３開口
１０    縦額縁
１０ａ    貫通部
１１    横額縁
１３    第１接続部材
１４    第２接続部材
１５    カバー
１６    枠体
１７Ａ、１７Ｂ    折り戸（開閉扉の一例）
２０    係合部材
２３    第１駆動機構
２４    第２駆動機構
２６ａ    上被覆部
２８    被係合部
２９    突出部
３５ａ    回転軸（駆動部の一例）
４０    ベルト（駆動部の一例）
【図１】
2016138366.tif 000003
【図２】
2016138366.tif 000004
【図３】
2016138366.tif 000005
【図４】
2016138366.tif 000006
【図５】
2016138366.tif 000007
【図６】
2016138366.tif 000008
【図７】
2016138366.tif 000009
【図８】
2016138366.tif 000010